(57)【要約】  本開示は、撮影方法、撮影装置、プログラム及び記憶媒体に関し、画像処理分野に属する。前記撮影方法は、撮影装置のシャッター押しの操作を取得すると、手ぶれ現象が存在するか否かを判定するステップと、手ぶれ現象が存在すると、現在の撮影装置の処理モードに基づいて、目標構成パラメーターを決定するステップと、前記目標構成パラメーターを調整するステップとを含む。本発明は、写真を撮影するときに、手ぶれ現象が存在するか否かを判定し、手ぶれ現象が存在すると、現在の処理モードに基づいて、目標構成パラメーターを決定し、そして、当該目標構成パラメーターを調整することにより、撮影装置のぶれに起因して写真の画面がぼやけることを防ぎ、写真のクオリティを高め、撮影装置の写真撮影の成功率を向上させる。【選択図】図１
2016533691.tif 000002
【特許請求の範囲】
【請求項１】
撮影装置のシャッター押しの操作を取得すると、手ぶれ現象が存在するか否かを判定するステップと、
手ぶれ現象が存在すると、現在の撮影装置の処理モードに基づいて、目標構成パラメーターを決定するステップと、
前記目標構成パラメーターを調整するステップと
を含むことを特徴とする撮影方法。
【請求項２】
前記現在の撮影装置の処理モードに基づいて、目標構成パラメーターを決定するステップは、
自動手ぶれ補正機能がオンされていない場合には、前記目標構成パラメーターを前記自動手ぶれ補正機能に決定するステップを含み、
それに伴い、前記目標構成パラメーターを調整するステップは、
前記自動手ぶれ補正機能をオンするステップを含む
ことを特徴とする請求項１に記載の撮影方法。
【請求項３】
前記現在の撮影装置の処理モードに基づいて、目標構成パラメーターを決定するステップは、
自動手ぶれ補正機能がオンになった場合に、前記目標構成パラメーターがシャッタースピード、ＩＳＯ感度及び絞り値の中の少なくとも１つを含むように決定するステップを含み、
それに伴い、前記目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップ
の中の少なくとも１つのステップを含むことを特徴とする請求項１に記載の撮影方法。
【請求項４】
前記手ぶれ現象が存在すると、現在の撮影装置の処理モードに基づいて、目標構成パラメーターを決定するステップは、
手ぶれ現象が存在すると、最適化を行うか否かを通知するための最適化通知メッセージを表示するステップと、
当該最適化通知メッセージに対する確認操作を検出すると、当該処理モードに基づいて、目標構成パラメーターを決定するステップと
を含むことを特徴とする請求項１に記載の撮影方法。
【請求項５】
前記シャッター押しの操作を取得すると、手ぶれ現象が存在するか否かを判定するステップは、
前記シャッター押しの操作を取得すると、搭載されたセンサーにより前記撮影装置のぶれ幅を取得するステップと、
前記ぶれ幅が所定の振幅より大きいか否かを判定するステップと、
前記ぶれ幅が所定の振幅より大きいと、手ぶれ現象が存在すると判定するステップと
を含むことを特徴とする請求項１に記載の撮影方法。
【請求項６】
前記シャッター押しの操作を取得すると、手ぶれ現象が存在するか否かを判定するステップは、
前記シャッター押しの操作を取得すると、前記現在の撮影装置のシャッタースピード及び焦点距離を取得するステップと、
前記シャッタースピードが前記焦点距離の逆数より大きいか否かを判定するステップと、
前記シャッタースピードが前記焦点距離の逆数より大きいと、手ぶれ現象が存在すると判定するステップと
を含むことを特徴とする請求項１に記載の撮影方法。
【請求項７】
前記シャッター押しの操作を取得すると、手ぶれ現象が存在するか否かを判定するステップは、
前記シャッター押しの操作を取得すると、焦点領域の尖鋭度を取得するステップと、
前記尖鋭度が所定の尖鋭度より小さいか否かを判定するステップと、
前記尖鋭度が所定の尖鋭度より小さいと、手ぶれ現象が存在すると判定するステップと
を含むことを特徴とする請求項１に記載の撮影方法。
【請求項８】
撮影装置のシャッター押しの操作を取得すると、手ぶれ現象が存在するか否かを判定するための判定モジュールと、
手ぶれ現象が存在すると、現在の撮影装置の処理モードに基づいて、目標構成パラメーターを決定するためのパラメーター決定モジュールと、
前記目標構成パラメーターを調整するためのパラメーター調整モジュールと
を含むことを特徴とする撮影装置。
【請求項９】
前記パラメーター決定モジュールは、自動手ぶれ補正機能がオンされていない場合には、前記目標構成パラメーターを前記自動手ぶれ補正機能に決定し、
それに伴い、前記パラメーター調整モジュールは、前記自動手ぶれ補正機能をオンする
ことを特徴とする請求項８に記載の撮影装置。
【請求項１０】
前記パラメーター決定モジュールは、自動手ぶれ補正機能がオンになった場合には、前記目標構成パラメーターがシャッタースピード、ＩＳＯ感度及び絞り値の中の少なくとも１つを含むように決定し、
それに伴い、前記パラメーター調整モジュールは、シャッタースピードを所定のシャッタースピードまで速くし、
前記パラメーター調整モジュールは、さらに、ＩＳＯ感度を所定のＩＳＯ感度まで高め、
前記パラメーター調整モジュールは、さらに、絞り値を所定の絞り値まで減少させる
ことを特徴とする請求項８に記載の撮影装置。
【請求項１１】
前記パラメーター決定モジュールは、
手ぶれ現象が存在すると、最適化を行うか否かを通知する最適化通知メッセージを表示するための通知メッセージ表示ユニットと、
前記最適化通知メッセージに対する確認操作を検出すると、前記処理モードに基づいて、目標構成パラメーターを決定するための確認ユニットと
を含むことを特徴とする請求項８に記載の撮影装置。
【請求項１２】
前記判定モジュールは、
前記シャッター押しの操作を取得すると、搭載されたセンサーにより前記撮影装置のぶれ幅を取得するための第１取得ユニットと、
前記ぶれ幅が所定の振幅より大きいか否かを判定するための第１判定ユニットと、
前記ぶれ幅が所定の振幅より大きいと、手ぶれ現象が存在すると判定するための第１決定ユニットと
を含むことを特徴とする請求項８に記載の撮影装置。
【請求項１３】
前記判定モジュールは、
前記シャッター押しの操作を取得すると、前記現在の撮影装置のシャッタースピード及び焦点距離を取得するための第２取得ユニットと、
前記シャッタースピードが前記焦点距離の逆数より大きいか否かを判定するための第２判定ユニットと、
前記シャッタースピードが前記焦点距離の逆数より大きいと、手ぶれ現象が存在すると判定するための第２決定ユニットと
を含むことを特徴とする請求項８に記載の撮影装置。
【請求項１４】
前記判定モジュールは、
前記シャッター押しの操作を取得すると、焦点領域の尖鋭度を取得するための第３取得ユニットと、
前記尖鋭度が所定の尖鋭度より小さいか否かを判定するための第３判定ユニットと、
前記尖鋭度が所定の尖鋭度より小さいと、手ぶれ現象が存在すると判定するための第３決定ユニットと
を含むことを特徴とする請求項８に記載の撮影装置。
【請求項１５】
プロセッサと、
プロセッサにより実行される指令を記憶するためのメモリと、を含み、
前記プロセッサは、
撮影装置のシャッター押しの操作を取得すると、手ぶれ現象が存在するか否かを判定し、
手ぶれ現象が存在すると、現在の撮影装置の処理モードに基づいて、目標構成パラメーターを決定し、
前記目標構成パラメーターを調整する
ことを特徴とする撮影装置。
【発明の詳細な説明】
【技術分野】
【０００１】
本開示は、画像処理分野に関し、具体的には、撮影方法及び撮影装置に関する。
【背景技術】
【０００２】
日常生活の中、多くのユーザは、カメラを使って写真を撮影する。ユーザは、美に対するニーズ（美化したい意識）が上昇することに伴い、撮影した写真のクオリティへの注目度も益々高くなる。
【発明の概要】
【発明が解決しようとする課題】
【０００３】
しかしながら、多くの場合には、装置または外部環境により制限されるため、ユーザがシャッターを押すとき、カメラぶれ（dithering）を招きやすく、カメラぶれに起因して撮影した写真の画面がぼやけて、写真のクオリティに影響してしまう。例えば、ユーザがカメラで夜景を撮影するとき、写真の画面の明るさを高めるために、カメラが遅いシャッタースピードで撮影する必要があり、この場合、ユーザの手ぶれに起因して写真の画面がぼやけやすくなる。
【課題を解決するための手段】
【０００４】
従来技術に存在する問題を解決するために、本開示は、撮影方法及び撮影装置を提供する。技術方案は、以下の通りである。
本開示の実施の形態の第１態様によると、撮影方法を提供し、前記撮影方法は、
撮像装置のシャッター押しの操作を取得すると（シャッター押しの操作に対応して）、手ぶれ現象が存在するか否かを判定するステップと、
手ぶれ現象が存在すると、現在の撮影装置の処理モードに基づいて、目標構成パラメーター（目標設定パラメーター、target configuration parameter）を決定するステップと、
前記目標構成パラメーターを調整するステップとを含む。
【０００５】
前記現在の撮影装置の処理モードに基づいて、目標構成パラメーターを決定するステップは、
自動手ぶれ補正（automatic stabilization）機能がオンされていない場合には、前記目標構成パラメーターを前記自動手ぶれ補正機能に決定するステップを含み、
それに伴い、前記目標構成パラメーターを調整するステップは、
前記自動手ぶれ補正機能をオンするステップを含む。
【０００６】
前記現在の撮影装置の処理モードに基づいて、目標構成パラメーターを決定するステップは、
自動手ぶれ補正機能がオンになった場合（オンの場合）には、前記目標構成パラメーターがシャッタースピード、ＩＳＯ感度及び絞り値の中の少なくとも１つを含むように決定するステップを含み、
それに伴い、前記目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップの中の少なくとも１つのステップを含む。
【０００７】
前記手ぶれ現象が存在すると、現在の撮影装置の処理モードに基づいて、目標構成パラメーターを決定するステップは、
手ぶれ現象が存在すると、最適化を行うか否かを通知する（催促する、prompt）ための最適化通知メッセージを表示するステップと、
当該最適化通知メッセージに対する確認操作を検出すると、当該処理モードに基づいて、目標構成パラメーターを決定するステップとを含む。
【０００８】
前記シャッター押しの操作を取得すると、手ぶれ現象が存在するか否かを判定するステップは、
前記シャッター押しの操作を取得すると、搭載されたセンサーにより前記撮影装置のぶれ幅を取得するステップと、
前記ぶれ幅が所定の振幅より大きいか否かを判定するステップと、
前記ぶれ幅が所定の振幅より大きいと、手ぶれ現象が存在すると判定するステップと、を含む。
【０００９】
前記シャッター押しの操作を取得すると、手ぶれ現象が存在するか否かを判定するステップは、
前記シャッター押しの操作を取得すると、前記現在の撮影装置のシャッタースピード及び焦点距離を取得するステップと、
前記シャッタースピードが前記焦点距離の逆数より大きいか否かを判定するステップと、
前記シャッタースピードが前記焦点距離の逆数より大きいと、手ぶれ現象が存在すると判定するステップと、を含む。
【００１０】
前記シャッター押しの操作を取得すると、手ぶれ現象が存在するか否かを判定するステップは、
前記シャッター押しの操作を取得すると、焦点領域（合焦領域、focus area）の尖鋭度（acutance）を取得するステップと、
前記尖鋭度が所定の尖鋭度より小さいか否かを判定するステップと、
前記尖鋭度が所定の尖鋭度より小さいと、手ぶれ現象が存在すると判定するステップと、を含む。
【００１１】
本開示の実施の形態の第２態様によると、撮影装置を提供し、前記撮影装置は、
シャッター押しの操作を取得すると、手ぶれ現象が存在するか否かを判定するための判定モジュールと、
手ぶれ現象が存在すると、現在の撮影装置の処理モードに基づいて、目標構成パラメーターを決定するためのパラメーター決定モジュールと、
前記目標構成パラメーターを調整するためのパラメーター調整モジュールと、を含む。
【００１２】
前記パラメーター決定モジュールは、自動手ぶれ補正機能がオンされていない場合には、前記目標構成パラメーターを前記自動手ぶれ補正機能に決定し、
それに伴い、前記パラメーター調整モジュールは、前記自動手ぶれ補正機能をオンする。
【００１３】
前記パラメーター決定モジュールは、自動手ぶれ補正機能がオンになった場合には、前記目標構成パラメーターがシャッタースピード、ＩＳＯ感度及び絞り値の中の少なくとも１つを含むように決定し、
それに伴い、前記パラメーター調整モジュールは、シャッタースピードを所定のシャッタースピードまで速くし、
前記パラメーター調整モジュールは、さらに、ＩＳＯ感度を所定のＩＳＯ感度まで高め、
前記パラメーター調整モジュールは、さらに、絞り値を所定の絞り値まで減少させる。
【００１４】
前記パラメーター決定モジュールは、
手ぶれ現象が存在すると、最適化を行うか否かを通知するための最適化通知メッセージを表示する通知メッセージ表示ユニットと、
前記最適化通知メッセージに対する確認操作を検出すると、前記処理モードに基づいて、目標構成パラメーターを決定するための確認ユニットと、を含む。
【００１５】
前記判定モジュールは、
前記シャッター押しの操作を取得すると、搭載されたセンサーにより前記撮影装置のぶれ幅を取得するための第１取得ユニットと、
前記ぶれ幅が所定の振幅より大きいか否かを判定するための第１判定ユニットと、
前記ぶれ幅が所定の振幅より大きいと、手ぶれ現象が存在すると判定するための第１決定ユニットと、を含む。
【００１６】
前記判定モジュールは、
前記シャッター押しの操作を取得すると、前記現在の撮影装置のシャッタースピード及び焦点距離を取得するための第２取得ユニットと、
前記シャッタースピードが前記焦点距離の逆数より大きいか否かを判定するための第２判定ユニットと、
前記シャッタースピードが前記焦点距離の逆数より大きいと、手ぶれ現象が存在すると判定するための第２決定ユニットと、を含む。
【００１７】
前記判定モジュールは、
前記シャッター押しの操作を取得すると、焦点領域の尖鋭度を取得するための第３取得ユニットと、
前記尖鋭度が所定の尖鋭度より小さいか否かを判定するための第３判定ユニットと、
前記尖鋭度が所定の尖鋭度より小さいと、手ぶれ現象が存在すると判定するための第３決定ユニットと、を含む。
【００１８】
本開示の実施の形態の第３態様によると、撮影装置を提供し、前記撮影装置は、
プロセッサと、
プロセッサにより実行される指令を記憶するためのメモリと、を含み、
前記プロセッサは、
シャッター押しの操作を取得すると、手ぶれ現象が存在するか否かを判定し、
手ぶれ現象が存在すると、現在の撮影装置の処理モードに基づいて、目標構成パラメーターを決定し、
前記目標構成パラメーターを調整する。
【発明の効果】
【００１９】
本開示の実施の形態に係る技術方案は、以下の有益な効果を有する。
本実施の形態に係る撮影方法及び撮影装置は、写真を撮影するときに、手ぶれ現象が存在するか否かを判定し、手ぶれ現象が存在すると、現在の処理モードに基づいて、目標構成パラメーターを決定し、そして、当該目標構成パラメーターを調整することにより、撮影装置のぶれに起因して写真の画面がぼやけることを防ぎ、写真のクオリティを高め、撮影装置の写真撮影の成功率を向上させる。
以上の一般的な記述及び以下の詳細な記述は、例示のものに過ぎず、本開示を限定するものではないと理解すべきである。
【図面の簡単な説明】
【００２０】
ここでの図面は、明細書の一部分として明細書全体を構成することにより、本開示に合致する実施の形態を例示するとともに、明細書を結合し本開示の原理を解釈するためのものである。
【図１】一実施の形態に係る撮影方法を例示的に示すフローチャートである。
【図２】一実施の形態に係る撮影方法を例示的に示すフローチャートである。
【図３】一実施の形態に係る撮影装置を例示的に示すブロック図である。
【図４】一実施の形態に係る撮影するための装置を例示的に示すブロック図である。
【発明を実施するための形態】
【００２１】
以下、本開示の目的、技術方案及び利点をより明確にするために、実施の形態及び図面を参照し、本開示について詳細に説明する。ここで、本開示の模式的な実施の形態及びその説明は、本開示を解釈するためのものであり、本開示を制限するものではない。
本開示の実施の形態は、撮影方法及び撮影装置を提供し、以下、図面を参照しながら、本開示について詳細に説明する。
【００２２】
図１は、一実施の形態に係る撮影方法を例示的に示すフローチャートであり、図１に示されるように、当該撮影方法は、撮影装置に用いられ、以下のステップを含む。
ステップ１０１において、シャッター押しの操作を取得すると、手ぶれ現象が存在するか否かを判定する。
ステップ１０２において、手ぶれ現象が存在すると、現在の撮影装置の処理モードに基づいて、目標構成パラメーターを決定する。
【００２３】
ステップ１０３において、当該目標構成パラメーターを調整する。
本実施の形態に係る撮影方法において、写真を撮影するときに、手ぶれ現象が存在するか否かを判定し、手ぶれ現象が存在すると、現在の処理モードに基づいて、目標構成パラメーターを決定し、そして、当該目標構成パラメーターを調整するすることにより、撮影装置のぶれに起因して写真の画面がぼやけることを防ぎ、写真のクオリティを高め、撮影装置の写真撮影の成功率を向上させる。
【００２４】
当該現在の撮影装置の処理モードに基づいて、目標構成パラメーターを決定するステップは、自動手ぶれ補正機能がオンされていない場合には、当該目標構成パラメーターを当該自動手ぶれ補正機能に決定するステップを含む。
それに伴い、当該目標構成パラメーターを調整するステップは、当該自動手ぶれ補正機能をオンするステップを含む。
【００２５】
当該現在の撮影装置の処理モードに基づいて、目標構成パラメーターを決定するステップは、自動手ぶれ補正機能がオンになった場合には、当該目標構成パラメーターがシャッタースピード、ＩＳＯ感度及び絞り値の中の少なくとも１つを含むように決定するステップを含む。
それに伴い、当該当該目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップの中の少なくとも１つのステップを含む。
【００２６】
当該手ぶれ現象が存在すると、現在の撮影装置の処理モードに基づいて、目標構成パラメーターを決定するステップは、
手ぶれ現象が存在すると、最適化を行うか否かを通知するための最適化通知メッセージを表示するステップと、
当該最適化通知メッセージに対する確認操作を検出すると、当該処理モードに基づいて、目標構成パラメーターを決定するステップとを含む。
【００２７】
当該シャッター押しの操作を取得すると、手ぶれ現象が存在するか否かを判定するステップは、
当該シャッター押しの操作を取得すると、搭載されたセンサーにより当該撮影装置のぶれ幅を取得するステップと、
当該ぶれ幅が所定の振幅より大きいか否かを判定するステップと、
当該ぶれ幅が所定の振幅より大きいと、手ぶれ現象が存在すると判定するステップと、を含む。
【００２８】
当該シャッター押しの操作を取得すると、手ぶれ現象が存在するか否かを判定するステップは、
当該シャッター押しの操作を取得すると、現在当該撮影装置のシャッタースピード及び焦点距離を取得するステップと、
当該シャッタースピードが当該焦点距離の逆数より大きいか否かを判定するステップと、
当該シャッタースピードが当該焦点距離の逆数より大きいと、手ぶれ現象が存在すると判定するステップと、を含む。
【００２９】
当該シャッター押しの操作を取得すると、手ぶれ現象が存在するか否かを判定するステップは、
当該シャッター押しの操作を取得すると、焦点領域の尖鋭度を取得するステップと、
当該尖鋭度が所定の尖鋭度より小さいか否かを判定するステップと、
当該尖鋭度が所定の尖鋭度より小さいと、手ぶれ現象が存在すると判定するステップと、を含む。
上記すべての選択可能な技術方案を任意に組み合わせることで本発明の選択可能な実施の形態を構成することができ、ここでは、説明を省略する。
【００３０】
図２は、一実施の形態に係る撮影方法を例示的に示すフローチャートを示し、図１に示されるように、当該撮影方法は、撮影装置に用いられ、以下のステップを含む。
ステップ２０１において、当該撮影装置がシャッター押しの操作を取得すると、手ぶれ現象が存在するか否かを判定する。
なお、当該撮影装置は、写真を撮影するためのものであり、ユーザが当該撮影装置のシャッターを押すと、当該撮影装置は、写真を撮影する。当該撮影装置は、デジタルカメラ、一眼カメラなどのカメラ、或いは、カメラが搭載される携帯電話、タブレットＰＣなどのデバイスであってもよく、本実施の形態は、これを限定しない。
【００３１】
本実施の形態において、写真のクオリティを保証するために、当該撮影装置がシャッター押しの操作を取得すると、写真を撮影するだけでなく、さらに、当該撮影装置において手ぶれ現象が存在するか否かを判定し、当該撮影装置において手ぶれ現象が存在すると、撮影した写真のクオリティが低く、以降に当該撮影装置がハイクオリティの写真を撮影できるように、当該撮影装置に対して最適化を行う必要がある。
【００３２】
当該ステップ２０１は、以下のステップ２０１ａ〜２０１ｃの中の少なくとも１つのステップを含む。
ステップ２０１ａにおいて、当該シャッター押しの操作を取得すると、搭載されたセンサーにより当該撮影装置のぶれ幅を取得し、当該ぶれ幅が所定の振幅より大きいか否かを判定し、当該ぶれ幅が所定の振幅より大きいと、手ぶれ現象が存在すると判定する。
【００３３】
当該撮影装置には、重力センサーなどの、当該撮影装置のぶれ幅を取得するためのセンサーが搭載される。当該センサーは、当該撮影装置が例えば垂直方向におけるぶれ幅や、水平方向におけるぶれ幅など、各方向におけるぶれ幅をリアルタイムで取得する。撮影装置は、当該撮影装置の垂直方向におけるぶれ幅をそのまま当該撮影装置のぶれ幅としてもよく、或いは、当該撮影装置の各方向におけるぶれ幅の和を当該撮影装置のぶれ幅としてもよく、本実施の形態は、これを限定しない。
【００３４】
当該撮影装置が当該シャッター押しの操作を取得すると、当該センサーにより取得されたぶれ幅を確認し、当該ぶれ幅が所定の振幅より大きいか否かを判定し、当該ぶれ幅が所定の振幅より大きいと、当該撮影装置において手ぶれ現象が存在すると判定し、一方、当該ぶれ幅が当該所定の振幅以下であると、当該撮影装置において手ぶれ現象が存在しないと判定する。
当該撮影装置は、予め所定の振幅を決定し、当該撮影装置のぶれ幅が当該所定の振幅より大きいと、当該撮影装置に手ぶれ現象が存在すると見なし、当該ぶれ幅が当該所定の振幅より小さいと、当該撮影装置において手ぶれ現象が存在しないと見なす。ここで、所定の振幅は、写真のクオリティに対する要求に応じて決められ、本実施の形態は、これを限定しない。
【００３５】
ステップ２０１ｂにおいて、当該シャッター押しの操作を取得すると、現在当該撮影装置のシャッタースピード及び焦点距離を取得し、当該シャッタースピードが当該焦点距離の逆数より大きいか否かを判定し、当該シャッタースピードが当該焦点距離の逆数より大きいと、手ぶれ現象が存在すると判定する。
【００３６】
当該撮影装置のシャッタースピードが大きすぎると、シャッタースピードが遅くなり、当該撮影装置の手ぶれ現象が写真にそのまま反映されて、撮影した写真の画面がぼやけてしまう。当該撮影装置のシャッタースピードが確実なシャッタースピードより小さい場合にのみ、撮影した写真のクオリティを保証することができる。また、レンズの焦点距離のが長いほど、写真の画面がぼやけやすくなる。このとき、シャッタースピードを減少させてこそ、写真の画面の鮮明さを保証できるため、当該確実なシャッタースピードを当該撮影装置の焦点距離の逆数より小さく設定する。例えば、焦点距離が５０ｍｍであると、写真の画面の鮮明さを保証するように、当該シャッタースピードを１／５０ｓより小さく設定すべきである。
【００３７】
以上のように、当該撮影装置が当該シャッター押しの操作を取得すると、現在の当該撮影装置のシャッタースピード及び焦点距離を取得し、当該シャッタースピードが当該焦点距離の逆数より大きいか否かを判定し、当該シャッタースピードが当該焦点距離の逆数より大きいと、当該撮影装置において手ぶれ現象が存在する可能性が大きいこととなり、当該撮影装置において手ぶれ現象が存在すると判定し、これにより、当該撮影装置に対して最適化を行い、当該シャッタースピードが当該焦点距離の逆数以下であると、当該撮影装置において手ぶれ現象が存在する可能性が小さいこととなり、当該撮影装置において手ぶれ現象が存在しないと判定する。
【００３８】
ステップ２０１ｃにおいて、当該シャッター押しの操作を取得すると、焦点領域の尖鋭度を取得し、当該尖鋭度が所定の尖鋭度より小さいか否かを判定し、当該尖鋭度が所定の尖鋭度より小さいと、手ぶれ現象が存在すると判定する。
写真の尖鋭度は、写真の鮮明さ及びエッジの鋭さを反映するものであり、尖鋭度が高いほど、写真の画面がよりはっきりする一方で、尖鋭度が低いほど、写真の画面がよりぼんやりする。そのため、当該撮影装置が当該シャッター押しの操作を取得すると、焦点領域の尖鋭度を取得し、当該尖鋭度が所定の尖鋭度より小さいか否かを判定し、当該尖鋭度が所定の尖鋭度より小さいと、写真の焦点領域がぼけているか、または二重像（double images）が発生したと判定し、当該撮影装置において手ぶれ現象が存在すると判定し、当該ぶれ幅が当該所定の振幅以下であると、写真の画面が鮮明であると判定し、当該撮影装置において手ぶれ現象が存在しないと判定する。なお、当該撮影装置は、予め写真の画面の鮮明さに対する要求に応じて、当該所定の尖鋭度を決定してもよく、本実施の形態は、これを限定しない。
【００３９】
上記ステップ２０１ａ〜２０１ｃは、当該撮影装置において手ぶれ現象が存在するか否かを判定するための３つの条件を挙げたことに注意すべきである。当該撮影装置は、上記３つの条件の中のいずれか１つを満たす場合、当該手ぶれ現象が存在すると判定するようにしてもよく、或いは、上記３つの条件の中の任意の２つを同時に満たす場合、手ぶれ現象が存在すると判定するようにしてもよく、或いは、上記３つの条件を同時に満たす場合にのみ、手ぶれ現象が存在すると判定するようにしてもよい。本実施の形態は、これを限定しない。もちろん、当該撮影装置は、当該撮影装置において手ぶれ現象が存在するか否かを判定するための条件であれば、ほかの条件を採用してもよく、本実施の形態は、これを限定しない。
【００４０】
ステップ２０２において、当該撮影装置において手ぶれ現象が存在すると、最適化通知メッセージを表示する。
当該撮影装置手ぶれ現象が存在すると判定するステップと、まず、最適化通知メッセージを表示し、ユーザに当該撮影装置に対して最適化するか否かを通知し、例えば、「カメラ写真を撮影するときに手ぶれ現象が生じ、カメラに対して最適化を行いますか」のような通知メッセージを表示する。当該撮影装置は、当該最適化通知メッセージについて確認（はい）選択肢及び無視（いいえ）選択肢を提供し、ユーザが当該撮影装置に対して最適化を行いたい場合、当該確認選択肢をクリックすることで、当該撮影装置は、当該最適化通知メッセージに対する確認操作を検出し、最適化を始める。ユーザが当該撮影装置に対して最適化を行おうとしない場合、当該無視選択肢をクリックすることで、当該撮影装置は、当該最適化通知メッセージに対する無視操作を検出し、何の最適化操作も実行しない。
【００４１】
当該撮影装置は、ステップ２０２を実行せず、当該撮影装置に対して直接に最適化を行ってもよく、当該撮影装置が当該ステップ２０２を実行するか否かは、当該撮影装置のデフォルト設定、或いはユーザが使用中において設定することにより決められることに注意すべきである。本実施の形態は、これを限定しない。
【００４２】
ステップ２０３において、当該撮影装置が当該最適化通知メッセージに対する確認操作を検出すると、自動手ぶれ補正機能が既にオンになったか否かを判定し、ＹＥＳの場合、ステップ２０５を実行し、ＮＯの場合、ステップ２０４を実行する。
当該撮影装置が当該最適化通知メッセージに対する確認操作を検出すると、当該撮影装置に対して最適化を行う。最適化のプロセスにおいて、当該撮影装置は、現在の処理モードに基づいて、目標構成パラメーターを決定し、さらに当該目標構成パラメーターを調整することにより、写真の鮮明さを保証し、写真のクオリティを向上させる。
【００４３】
当該撮影装置に自動手ぶれ補正機能が搭載されたとすると、現在の当該撮影装置の処理モードは、自動手ぶれ補正機能がオンされ、自動手ぶれ補正機能がオンされていないモードを含む。当該自動手ぶれ補正機能が手ぶれ現象を回避できるので、写真のクオリティを高めるため、当該撮影装置に対して最適化を行う場合、まず、自動手ぶれ補正機能がオンになっているか否かを判定し、自動手ぶれ補正機能がオンされていない場合には、当該撮影装置は、当該目標構成パラメーターを当該自動手ぶれ補正機能に決定し、当該自動手ぶれ補正機能をオンする。
【００４４】
当該撮影装置は、様々な処理モードで撮影を行い、各種の処理モードに少なくとも１つの設定パラメーターが該当し、現在の処理モードに基づいて、調整すべき目標構成パラメーターを決定し、当該目標構成パラメーターを調整することができることに注意すべきである。
【００４５】
ステップ２０４において、当該撮影装置は、当該目標構成パラメーターを当該自動手ぶれ補正機能に決定することにより、当該自動手ぶれ補正機能をオンする。
ステップ２０５において、当該撮影装置は、当該目標構成パラメーターをシャッタースピード、ＩＳＯ感度及び絞り値にすることにより、シャッタースピードを所定のシャッタースピードまで速くし、ＩＳＯ感度を所定のＩＳＯ感度まで高め、絞り値を所定の絞り値まで減少させる。
当該自動手ぶれ補正機能がオンになったとすると、当該撮影装置は、さらに、当該目標構成パラメーターがシャッタースピード、ＩＳＯ感度及び絞り値の中の少なくとも１つであると決定し、引き続き最適化を行うことができる。
【００４６】
当業者は、明るさが同等である場合に、ＩＳＯ感度が固定であると、絞り値とシャッタースピードとの間に、絞り値が小さければ小さいほど、絞りが大きくなり、シャッタースピードが速くなり、即ちシャッタースピード（その値）が小さくなり、逆に、絞り値が大きければ大きいほど、絞りが小さくなり、シャッタースピードが遅くなり、即ちシャッタースピード（その値）が大きくなる関係があることがわかる。絞り値が固定であると、ＩＳＯ感度とシャッタースピードとの間に、ＩＳＯ感度が高ければ高いほど、シャッタースピードが速くなり、即ちシャッタースピード（その値）が小さくなり、逆に、ＩＳＯ感度が低ければ低いほど、シャッタースピードが遅くなり、即ちシャッタースピード（その値）が大きくなる関係がある。また、ＩＳＯ感度を高める場合には、撮影の写真においてノイズが生じる可能性があり、このようなノイズを減少させるために、絞り値を適切に減少させて、絞りを大きくする。
【００４７】
当該撮影装置は、シャッタースピードを所定のシャッタースピードまで直接的に速く（小さく）してもよく、ＩＳＯ感度を所定のＩＳＯ感度まで高め、絞り値を所定の絞り値まで減少させてもよい。当該所定のＩＳＯ感度及び当該所定の絞り値は、当該撮影装置により予め決定され、例えば、所定のＩＳＯ感度が３２００または６４００であり、本実施の形態は、これを限定しない。
【００４８】
本実施の形態において、当該撮影装置が当該目標構成パラメーターをシャッタースピード、ＩＳＯ感度及び絞り値に決定することを例として説明したが、実際に、当該撮影装置は、当該目標構成パラメーターをシャッタースピードのみに決定してもよく、この場合、シャッタースピードを所定のシャッタースピードまで速く（小さく）する。または、当該撮影装置は、当該目標構成パラメーターをＩＳＯのみに決定してもよく、この場合、ＩＳＯ感度を所定のＩＳＯ感度まで高める。または、当該撮影装置は、当該目標構成パラメーターを絞り値のみに決定してもよく、この場合、絞り値を所定の絞り値まで減少させる。本実施の形態は、当該目標構成パラメーター及び当該目標構成パラメーターに対する調整方式を限定しない。
【００４９】
また、当該撮影装置がシャッタースピードを所定のシャッタースピードまで速くし、ＩＳＯ感度を所定のＩＳＯ感度まで高め、或いは、絞り値を所定の絞り値まで減少させることのみを例として説明したが、実際に、当該撮影装置は、シャッタースピードの調整幅、ＩＳＯ感度の調整幅及び絞り値の調整幅を予め決定することができ、最適化を行うたびに、シャッタースピードの調整幅に基づいて、シャッタースピードを速くし、ＩＳＯ感度の調整幅に基づいて、ＩＳＯ感度を高め、或いは絞り値の調整幅に基づいて、絞り値を減少させることができる。例えば、シャッタースピードの調整幅を１／１０００ｓ刻みにし、現在のシャッタースピードが１／２０００ｓであると、シャッタースピードを１／３０００ｓまで速く（小さく）する。
【００５０】
次に写真を撮影するとき、当該撮影装置にまだ手ぶれ現象が存在すると判定した場合、シャッタースピードの調整幅、当該ＩＳＯ感度の調整幅及び絞り値の調整幅に基づいて、引き続きシャッタースピード、ＩＳＯ感度及び絞り値に対して調整することができる。
当該撮影装置を最適化するときに、当該目標構成パラメーター、その調整方式及び当該目標構成パラメーターを調整することにより得られた効果を表示してもよく、これにより、ユーザは、どのように撮影装置を最適化するかを知り、また、当該目標構成パラメーターの効果及び機能を知ってもよい。
【００５１】
本実施の形態に係る撮影方法において、写真を撮影するときに、手ぶれ現象が存在するか否かを判定し、手ぶれ現象が存在すると、現在の処理モードに基づいて、目標構成パラメーターを決定し、そして、当該目標構成パラメーターを調整することにより、撮影装置のぶれに起因して写真の画面がぼやけることを防ぎ、写真のクオリティを高め、撮影装置の写真撮影の成功率を向上させる。
【００５２】
図３は、一実施の形態に係る撮影装置を例示的に示すブロック図である。図２を参照し、当該撮影装置は、
シャッター押しの操作を取得すると、手ぶれ現象が存在するか否かを判定するための判定モジュール３０１と、
手ぶれ現象が存在すると、現在の撮影装置の処理モードに基づいて、目標構成パラメーターを決定するためのパラメーター決定モジュール３０２と、
当該目標構成パラメーターを調整するためのパラメーター調整モジュール３０３とを含む。
【００５３】
本実施の形態に係る撮影装置において、写真を撮影するときに、手ぶれ現象が存在するか否かを判定し、手ぶれ現象が存在すると、現在の処理モードに基づいて、目標構成パラメーターを決定し、そして、当該目標構成パラメーターを調整するすることにより、撮影装置のぶれに起因して写真の画面がぼやけることを防ぎ、写真のクオリティを高め、撮影装置の写真撮影の成功率を向上させる。
【００５４】
当該パラメーター決定モジュール３０２は、自動手ぶれ補正機能がオンされていない場合には、当該目標構成パラメーターを当該自動手ぶれ補正機能に決定する。
それに伴い、当該パラメーター調整モジュール３０３は、当該自動手ぶれ補正機能をオンする。
【００５５】
当該パラメーター決定モジュール３０２は、自動手ぶれ補正機能がオンになった場合には、当該目標構成パラメーターがシャッタースピード、ＩＳＯ感度及び絞り値の中の少なくとも１つを含むように決定する。
それに伴い、当該パラメーター調整モジュール３０３は、シャッタースピードを所定のシャッタースピードまで速くし、さらに、ＩＳＯ感度を所定のＩＳＯ感度まで高め、絞り値を所定の絞り値まで減少させる。
【００５６】
当該パラメーター決定モジュール３０２は、
手ぶれ現象が存在すると、最適化を行うか否かを通知するための最適化通知メッセージを表示するための通知メッセージ表示ユニットと、
当該最適化通知メッセージに対する確認操作を検出すると、当該処理モードに基づいて、目標構成パラメーターを決定するための確認ユニットとを含む。
【００５７】
当該判定モジュール３０１は、
当該シャッター押しの操作を取得すると、搭載されたセンサーにより当該撮影装置のぶれ幅を取得するための第１取得ユニットと、
当該ぶれ幅が所定の振幅より大きいか否かを判定するための第１判定ユニットと、
当該ぶれ幅が所定の振幅より大きいと、手ぶれ現象が存在すると判定するための第1決定ユニットと、を含む。
【００５８】
当該判定モジュール３０１は、
当該シャッター押しの操作を取得すると、現在当該撮影装置のシャッタースピード及び焦点距離を取得するための第２取得ユニットと、
当該シャッタースピードが当該焦点距離の逆数より大きいか否かを判定するための第２判定ユニットと、
当該シャッタースピードが当該焦点距離の逆数より大きいと、手ぶれ現象が存在すると判定するための第２決定ユニットと、を含む。
【００５９】
当該判定モジュール３０１は、
当該シャッター押しの操作を取得すると、焦点領域の尖鋭度を取得するための第３取得ユニットと、
当該尖鋭度が所定の尖鋭度より小さいか否かを判定するための第３判定ユニットと、
当該尖鋭度が所定の尖鋭度より小さいと、手ぶれ現象が存在すると判定するための第３決定ユニットと、を含む。
【００６０】
上記すべての選択可能な技術方案を任意に組み合わせることで本発明の選択可能な実施の形態を構成することができ、ここでは、説明を省略する。
上記実施の形態における撮影装置において、各モジュールが実行する動作の詳細は、既に該当する撮影方法の実施の形態において詳細に説明されたため、ここで、更に説明しない。
【００６１】
上記実施の形態に係る撮影装置により写真を撮影するときに、撮影装置は例としての上記各機能モジュールの区分を用いて説明されたことに注意すべきである。実際には、実施する際の必要に応じて、上記機能を異なる機能モジュールに割り当てても良い。特に、撮影装置の内部構造は異なる機能モジュールに分割されて、上記すべて或いは一部の機能を実現する。また、上記実施の形態に係る撮影装置は、本開示の実施の形態に係る撮影方法と同一の発明思想に基づくもので、具体的な実現プロセスは撮影方法の実施の形態に詳述されており、ここでは説明を省略する。
【００６２】
図４は、一実施の形態に係る撮影するための装置４００を例示的に示すブロック図である。例えば、装置４００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
図４を参照すると、装置４００は、プロセスコンポーネント４０２、メモリ４０４、電源コンポーネント４０６、マルチメディアコンポーネント４０８、オーディオコンポーネント４１０、入出力（Ｉ／Ｏ）インターフェイス４１２、センサコンポーネント４１４及び通信コンポーネント４１６のような一つ以上のコンポーネントを含んでよい。
【００６３】
プロセスコンポーネント４０２は、一般的には装置４００の全体の動作を制御するものであり、例えば、表示、電話呼び出し、データ通信、カメラ操作、及び記録操作と関連する動作を制御する。プロセスコンポーネント４０２は、一つ以上のプロセッサ４２０を含み、これらによって命令を実行することにより、上記の方法の全部、或は一部のステップを実現するようにしてもよい。なお、プロセスコンポーネント４０２は、一つ以上のモジュールを含み、これらによってプロセスコンポーネント４０２と他のコンポーネントの間のインタラクションを容易にするようにしてもよい。例えば、プロセスコンポーネント４０２は、マルチメディアモジュールを含み、これらによってマルチメディアコンポーネント４０８とプロセスコンポーネント４０２の間のインタラクションを容易にするようにしてもよい。
【００６４】
メモリ４０４は、各種類のデータを記憶することにより装置４００の操作を支援するように構成される。これらのデータの例は、装置４００において動作するいずれかのアプリケーションプログラム又は方法の命令、連絡対象データ、電話帳データ、メッセージ、画像、ビデオ等を含む。メモリ４０４は、いずれかの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００６５】
電源コンポーネント４０６は、装置４００の多様なコンポーネントに電力を供給する。電源コンポーネント４０６は、電源管理システム、一つ以上の電源、及び装置４００のための電力の生成、管理及び割り当てに関連する他のコンポーネントを含んでもよい。
【００６６】
マルチメディアコンポーネント４０８は、前記装置４００とユーザの間に一つの出力インターフェイスを提供するスクリーンを含む。上記の実施の形態において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施の形態において、マルチメディアコンポーネント４０８は、一つのフロントカメラ、及び／又はリアカメラを含む。装置４００が、例えば撮影モード、或はビデオモード等の動作モードにある場合、フロントカメラ、及び／又はリアカメラは外部からマルチメディアデータを受信できる。フロントカメラ及びリアカメラは、固定光学レンズシステムであっても、或は、合焦及び光学ズーム機能を有するものであってもよい。
【００６７】
オーディオコンポーネント４１０は、オーディオ信号を入出力するように構成されてもよい。例えば、オーディオコンポーネント４１０は、一つのマイク（ＭＩＣ）を含み、装置４００が、例えば呼出しモード、記録モード、及び音声認識モード等の動作モードにある場合、マイクは外部のオーディオ信号を受信することができる。受信されたオーディオ信号は、さらにメモリ４０４に記憶されたり、通信コンポーネント４１６を介して送信されたりされる。上記の実施の形態において、オーディオコンポーネント４１０は、オーディオ信号を出力するための一つのスピーカーをさらに含む。
【００６８】
Ｉ／Ｏインターフェイス４１２は、プロセスコンポーネント４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００６９】
センサコンポーネント４１４は、装置４００に各態様の状態に対する評価を提供するための一つ以上のセンサを含む。例えば、センサコンポーネント４１４は、装置４００のＯＮ／ＯＦＦ状態、装置４００のディスプレイとキーパッドのようなコンポーネントの相対的な位置を検出できる。また、例えば、センサコンポーネント４１４は、装置４００、或は装置４００の一つのコンポーネントの位置変更、ユーザと装置４００とが接触しているか否か、装置４００の方位、又は加速／減速、装置４００の温度の変化を検出できる。センサコンポーネント４１４は、物理的接触がない状態で付近の物体の存在を検出するための近接センサを含んでもよい。センサコンポーネント４１４は、撮影アプリケーションに適用するため、ＣＭＯＳ、又はＣＣＤ画像センサのような光センサを含んでもよい。上記の実施の形態において、当該センサコンポーネント４１４は、加速度センサ、ジャイロスコープセンサ、磁気センサ、圧力センサ、及び温度センサを含んでもよい。
【００７０】
通信コンポーネント４１６は、装置４００と他の機器の間に有線、又は無線形態の通信を提供する。装置４００は、例えばＷｉＦｉ（登録商標）、２Ｇ、３Ｇ、或はこれらの組み合わせのような、通信規格に基づいた無線ネットワークに接続されてもよい。一つの例示的な実施の形態において、通信コンポーネント４１６は、放送チャンネルを介して外部の放送管理システムからの放送信号、又は放送に関連する情報を受信する。一つの例示的な実施の形態において、前記通信コンポーネント４１６は、近距離無線通信（ＮＦＣ）モジュールをさらに含むことにより、近距離通信を促進する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００７１】
例示的な実施の形態において、装置４００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００７２】
例示的な実施の形態において、さらに、命令を含む非一時的なコンピュータで読み取り可能な記憶媒体、例えば命令を含むメモリ４０４を提供しており、装置４００のプロセッサ４２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー（登録商標）ディスク、光データ記憶デバイス等である。
【００７３】
非一時的なコンピュータで読み取り可能な記憶媒体は、当該記録媒体中の指令が撮影装置のプロセッサによって実行される際に、撮影装置に撮影方法を実行させ、当該撮影方法は、
シャッター押しの操作を取得すると、手ぶれ現象が存在するか否かを判定するステップと、
手ぶれ現象が存在すると、現在の撮影装置の処理モードに基づいて、目標構成パラメーターを決定するステップと、
当該目標構成パラメーターを調整するステップと、を含む。
【００７４】
当該現在の撮影装置の処理モードに基づいて、目標構成パラメーターを決定するステップは、
自動手ぶれ補正機能がオンされていない場合には、当該目標構成パラメーターを当該自動手ぶれ補正機能に決定するステップを含む。
それに伴い、当該目標構成パラメーターを調整するステップは、
当該自動手ぶれ補正機能をオンするステップを含む。
【００７５】
当該現在の撮影装置の処理モードに基づいて、目標構成パラメーターを決定するステップは、
自動手ぶれ補正機能がオンになった場合には、当該目標構成パラメーターがシャッタースピード、ＩＳＯ感度及び絞り値の中の少なくとも１つを含むように決定するステップを含む。
それに伴い、当該当該目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップの中の少なくとも１つのステップを含む。
【００７６】
当該手ぶれ現象が存在すると、現在の撮影装置の処理モードに基づいて、目標構成パラメーターを決定するステップは、
手ぶれ現象が存在すると、最適化を行うか否かを通知するための最適化通知メッセージを表示するステップと、
当該最適化通知メッセージに対する確認操作を検出すると、当該処理モードに基づいて、目標構成パラメーターを決定するステップとを含む。
【００７７】
当該シャッター押しの操作を取得すると、手ぶれ現象が存在するか否かを判定するステップは、
当該シャッター押しの操作を取得すると、搭載されたセンサーにより当該撮影装置のぶれ幅を取得するステップと、
当該ぶれ幅が所定の振幅より大きいか否かを判定するステップと、
当該ぶれ幅が所定の振幅より大きいと、手ぶれ現象が存在すると判定するステップと、を含む。
【００７８】
当該シャッター押しの操作を取得すると、手ぶれ現象が存在するか否かを判定するステップは、
当該シャッター押しの操作を取得すると、現在当該撮影装置のシャッタースピード及び焦点距離を取得するステップと、
当該シャッタースピードが当該焦点距離の逆数より大きいか否かを判定するステップと、
当該シャッタースピードが当該焦点距離の逆数より大きいと、手ぶれ現象が存在すると判定するステップと、を含む。
【００７９】
当該シャッター押しの操作を取得すると、手ぶれ現象が存在するか否かを判定するステップは、
当該シャッター押しの操作を取得すると、焦点領域の尖鋭度を取得するステップと、
当該尖鋭度が所定の尖鋭度より小さいか否かを判定するステップと、
当該尖鋭度が所定の尖鋭度より小さいと、手ぶれ現象が存在すると判定するステップと、を含む。
【００８０】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施の形態は、例示的なものを開示しており、本発明の保護範囲と主旨は、特許請求の範囲に記述される。
【００８１】
本発明は、上記において開示された構成又は図面に示した構造に限定されるものではなく、本発明の範囲内であれば、様々な補正又は変更を行うことができる。本発明の範囲は、特許請求の範囲により制限される。
本願は、出願番号がＣＮ２０１４１０４２９７４０．７であって、出願日が２０１４年８月２８日である中国特許出願に基づき優先権を主張し、当該中国特許出願のすべての内容を本願に援用する。
【図１】
2016533691.tif 000003
【図２】
2016533691.tif 000004
【図３】
2016533691.tif 000005
【図４】
2016533691.tif 000006
【手続補正書】
【提出日】平成27年3月19日(2015.3.19)
【手続補正１】
【補正対象書類名】明細書
【補正対象項目名】全文
【補正方法】変更
【補正の内容】
【発明の詳細な説明】
【技術分野】
【０００１】
本開示は、画像処理分野に関し、具体的には、撮影方法、撮影装置、プログラム及び記憶媒体に関する。
【背景技術】
【０００２】
日常生活の中、多くのユーザは、カメラを使って写真を撮影する。ユーザは、美に対するニーズ（美化したい意識）が上昇することに伴い、撮影した写真のクオリティへの注目度も益々高くなる。
【発明の概要】
【発明が解決しようとする課題】
【０００３】
しかしながら、多くの場合には、装置または外部環境により制限されるため、ユーザがシャッターを押すとき、カメラぶれ（dithering）を招きやすく、カメラぶれに起因して撮影した写真の画面がぼやけて、写真のクオリティに影響してしまう。例えば、ユーザがカメラで夜景を撮影するとき、写真の画面の明るさを高めるために、カメラが遅いシャッタースピードで撮影する必要があり、この場合、ユーザの手ぶれに起因して写真の画面がぼやけやすくなる。
【課題を解決するための手段】
【０００４】
従来技術に存在する問題を解決するために、本開示は、撮影方法、撮影装置、プログラム及び記憶媒体を提供する。技術方案は、以下の通りである。
本開示の実施の形態の第１態様によると、撮影方法を提供し、前記撮影方法は、
撮像装置のシャッター押しの操作を取得すると（シャッター押しの操作に対応して）、手ぶれ現象が存在するか否かを判定するステップと、
手ぶれ現象が存在すると、現在の撮影装置の処理モードに基づいて、目標構成パラメーター（目標設定パラメーター、target configuration parameter）を決定するステップと、
前記目標構成パラメーターを調整するステップとを含む。
【０００５】
前記現在の撮影装置の処理モードに基づいて、目標構成パラメーターを決定するステップは、
自動手ぶれ補正（automatic stabilization）機能がオンされていない場合には、前記目標構成パラメーターを前記自動手ぶれ補正機能に決定するステップを含み、
それに伴い、前記目標構成パラメーターを調整するステップは、
前記自動手ぶれ補正機能をオンするステップを含む。
【０００６】
前記現在の撮影装置の処理モードに基づいて、目標構成パラメーターを決定するステップは、
自動手ぶれ補正機能がオンになった場合（オンの場合）には、前記目標構成パラメーターがシャッタースピード、ＩＳＯ感度及び絞り値の中の少なくとも１つを含むように決定するステップを含み、
それに伴い、前記目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップの中の少なくとも１つのステップを含む。
【０００７】
前記手ぶれ現象が存在すると、現在の撮影装置の処理モードに基づいて、目標構成パラメーターを決定するステップは、
手ぶれ現象が存在すると、最適化を行うか否かを通知する（催促する、prompt）ための最適化通知メッセージを表示するステップと、
当該最適化通知メッセージに対する確認操作を検出すると、当該処理モードに基づいて、目標構成パラメーターを決定するステップとを含む。
【０００８】
前記シャッター押しの操作を取得すると、手ぶれ現象が存在するか否かを判定するステップは、
前記シャッター押しの操作を取得すると、搭載されたセンサーにより前記撮影装置のぶれ幅を取得するステップと、
前記ぶれ幅が所定の振幅より大きいか否かを判定するステップと、
前記ぶれ幅が所定の振幅より大きいと、手ぶれ現象が存在すると判定するステップと、を含む。
【０００９】
前記シャッター押しの操作を取得すると、手ぶれ現象が存在するか否かを判定するステップは、
前記シャッター押しの操作を取得すると、前記現在の撮影装置のシャッタースピード及び焦点距離を取得するステップと、
前記シャッタースピードが前記焦点距離の逆数より大きいか否かを判定するステップと、
前記シャッタースピードが前記焦点距離の逆数より大きいと、手ぶれ現象が存在すると判定するステップと、を含む。
【００１０】
前記シャッター押しの操作を取得すると、手ぶれ現象が存在するか否かを判定するステップは、
前記シャッター押しの操作を取得すると、焦点領域（合焦領域、focus area）の尖鋭度（acutance）を取得するステップと、
前記尖鋭度が所定の尖鋭度より小さいか否かを判定するステップと、
前記尖鋭度が所定の尖鋭度より小さいと、手ぶれ現象が存在すると判定するステップと、を含む。
【００１１】
本開示の実施の形態の第２態様によると、撮影装置を提供し、前記撮影装置は、
シャッター押しの操作を取得すると、手ぶれ現象が存在するか否かを判定するための判定モジュールと、
手ぶれ現象が存在すると、現在の撮影装置の処理モードに基づいて、目標構成パラメーターを決定するためのパラメーター決定モジュールと、
前記目標構成パラメーターを調整するためのパラメーター調整モジュールと、を含む。
【００１２】
前記パラメーター決定モジュールは、自動手ぶれ補正機能がオンされていない場合には、前記目標構成パラメーターを前記自動手ぶれ補正機能に決定し、
それに伴い、前記パラメーター調整モジュールは、前記自動手ぶれ補正機能をオンする。
【００１３】
前記パラメーター決定モジュールは、自動手ぶれ補正機能がオンになった場合には、前記目標構成パラメーターがシャッタースピード、ＩＳＯ感度及び絞り値の中の少なくとも１つを含むように決定し、
それに伴い、前記パラメーター調整モジュールは、シャッタースピードを所定のシャッタースピードまで速くし、
前記パラメーター調整モジュールは、さらに、ＩＳＯ感度を所定のＩＳＯ感度まで高め、
前記パラメーター調整モジュールは、さらに、絞り値を所定の絞り値まで減少させる。
【００１４】
前記パラメーター決定モジュールは、
手ぶれ現象が存在すると、最適化を行うか否かを通知するための最適化通知メッセージを表示する通知メッセージ表示ユニットと、
前記最適化通知メッセージに対する確認操作を検出すると、前記処理モードに基づいて、目標構成パラメーターを決定するための確認ユニットと、を含む。
【００１５】
前記判定モジュールは、
前記シャッター押しの操作を取得すると、搭載されたセンサーにより前記撮影装置のぶれ幅を取得するための第１取得ユニットと、
前記ぶれ幅が所定の振幅より大きいか否かを判定するための第１判定ユニットと、
前記ぶれ幅が所定の振幅より大きいと、手ぶれ現象が存在すると判定するための第１決定ユニットと、を含む。
【００１６】
前記判定モジュールは、
前記シャッター押しの操作を取得すると、前記現在の撮影装置のシャッタースピード及び焦点距離を取得するための第２取得ユニットと、
前記シャッタースピードが前記焦点距離の逆数より大きいか否かを判定するための第２判定ユニットと、
前記シャッタースピードが前記焦点距離の逆数より大きいと、手ぶれ現象が存在すると判定するための第２決定ユニットと、を含む。
【００１７】
前記判定モジュールは、
前記シャッター押しの操作を取得すると、焦点領域の尖鋭度を取得するための第３取得ユニットと、
前記尖鋭度が所定の尖鋭度より小さいか否かを判定するための第３判定ユニットと、
前記尖鋭度が所定の尖鋭度より小さいと、手ぶれ現象が存在すると判定するための第３決定ユニットと、を含む。
【００１８】
本開示の実施の形態の第３態様によると、撮影装置を提供し、前記撮影装置は、
プロセッサと、
プロセッサにより実行される指令を記憶するためのメモリと、を含み、
前記プロセッサは、
シャッター押しの操作を取得すると、手ぶれ現象が存在するか否かを判定し、
手ぶれ現象が存在すると、現在の撮影装置の処理モードに基づいて、目標構成パラメーターを決定し、
前記目標構成パラメーターを調整する。
本開示の実施の形態の第４態様によると、プロセッサに実行されることにより、上記撮影方法を実現するプログラムを提供する。
本開示の実施の形態の第５態様によると、上記プログラムを記録した記録媒体を提供する。
【発明の効果】
【００１９】
本開示の実施の形態に係る技術方案は、以下の有益な効果を有する。
本実施の形態に係る撮影方法、撮影装置、プログラム及び記憶媒体は、写真を撮影するときに、手ぶれ現象が存在するか否かを判定し、手ぶれ現象が存在すると、現在の処理モードに基づいて、目標構成パラメーターを決定し、そして、当該目標構成パラメーターを調整することにより、撮影装置のぶれに起因して写真の画面がぼやけることを防ぎ、写真のクオリティを高め、撮影装置の写真撮影の成功率を向上させる。
以上の一般的な記述及び以下の詳細な記述は、例示のものに過ぎず、本開示を限定するものではないと理解すべきである。
【図面の簡単な説明】
【００２０】
ここでの図面は、明細書の一部分として明細書全体を構成することにより、本開示に合致する実施の形態を例示するとともに、明細書を結合し本開示の原理を解釈するためのものである。
【図１】一実施の形態に係る撮影方法を例示的に示すフローチャートである。
【図２】一実施の形態に係る撮影方法を例示的に示すフローチャートである。
【図３】一実施の形態に係る撮影装置を例示的に示すブロック図である。
【図４】一実施の形態に係る撮影するための装置を例示的に示すブロック図である。
【発明を実施するための形態】
【００２１】
以下、本開示の目的、技術方案及び利点をより明確にするために、実施の形態及び図面を参照し、本開示について詳細に説明する。ここで、本開示の模式的な実施の形態及びその説明は、本開示を解釈するためのものであり、本開示を制限するものではない。
本開示の実施の形態は、撮影方法及び撮影装置を提供し、以下、図面を参照しながら、本開示について詳細に説明する。
【００２２】
図１は、一実施の形態に係る撮影方法を例示的に示すフローチャートであり、図１に示されるように、当該撮影方法は、撮影装置に用いられ、以下のステップを含む。
ステップ１０１において、シャッター押しの操作を取得すると、手ぶれ現象が存在するか否かを判定する。
ステップ１０２において、手ぶれ現象が存在すると、現在の撮影装置の処理モードに基づいて、目標構成パラメーターを決定する。
【００２３】
ステップ１０３において、当該目標構成パラメーターを調整する。
本実施の形態に係る撮影方法において、写真を撮影するときに、手ぶれ現象が存在するか否かを判定し、手ぶれ現象が存在すると、現在の処理モードに基づいて、目標構成パラメーターを決定し、そして、当該目標構成パラメーターを調整するすることにより、撮影装置のぶれに起因して写真の画面がぼやけることを防ぎ、写真のクオリティを高め、撮影装置の写真撮影の成功率を向上させる。
【００２４】
当該現在の撮影装置の処理モードに基づいて、目標構成パラメーターを決定するステップは、自動手ぶれ補正機能がオンされていない場合には、当該目標構成パラメーターを当該自動手ぶれ補正機能に決定するステップを含む。
それに伴い、当該目標構成パラメーターを調整するステップは、当該自動手ぶれ補正機能をオンするステップを含む。
【００２５】
当該現在の撮影装置の処理モードに基づいて、目標構成パラメーターを決定するステップは、自動手ぶれ補正機能がオンになった場合には、当該目標構成パラメーターがシャッタースピード、ＩＳＯ感度及び絞り値の中の少なくとも１つを含むように決定するステップを含む。
それに伴い、当該当該目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップの中の少なくとも１つのステップを含む。
【００２６】
当該手ぶれ現象が存在すると、現在の撮影装置の処理モードに基づいて、目標構成パラメーターを決定するステップは、
手ぶれ現象が存在すると、最適化を行うか否かを通知するための最適化通知メッセージを表示するステップと、
当該最適化通知メッセージに対する確認操作を検出すると、当該処理モードに基づいて、目標構成パラメーターを決定するステップとを含む。
【００２７】
当該シャッター押しの操作を取得すると、手ぶれ現象が存在するか否かを判定するステップは、
当該シャッター押しの操作を取得すると、搭載されたセンサーにより当該撮影装置のぶれ幅を取得するステップと、
当該ぶれ幅が所定の振幅より大きいか否かを判定するステップと、
当該ぶれ幅が所定の振幅より大きいと、手ぶれ現象が存在すると判定するステップと、を含む。
【００２８】
当該シャッター押しの操作を取得すると、手ぶれ現象が存在するか否かを判定するステップは、
当該シャッター押しの操作を取得すると、現在当該撮影装置のシャッタースピード及び焦点距離を取得するステップと、
当該シャッタースピードが当該焦点距離の逆数より大きいか否かを判定するステップと、
当該シャッタースピードが当該焦点距離の逆数より大きいと、手ぶれ現象が存在すると判定するステップと、を含む。
【００２９】
当該シャッター押しの操作を取得すると、手ぶれ現象が存在するか否かを判定するステップは、
当該シャッター押しの操作を取得すると、焦点領域の尖鋭度を取得するステップと、
当該尖鋭度が所定の尖鋭度より小さいか否かを判定するステップと、
当該尖鋭度が所定の尖鋭度より小さいと、手ぶれ現象が存在すると判定するステップと、を含む。
上記すべての選択可能な技術方案を任意に組み合わせることで本発明の選択可能な実施の形態を構成することができ、ここでは、説明を省略する。
【００３０】
図２は、一実施の形態に係る撮影方法を例示的に示すフローチャートを示し、図２に示されるように、当該撮影方法は、撮影装置に用いられ、以下のステップを含む。
ステップ２０１において、当該撮影装置がシャッター押しの操作を取得すると、手ぶれ現象が存在するか否かを判定する。
なお、当該撮影装置は、写真を撮影するためのものであり、ユーザが当該撮影装置のシャッターを押すと、当該撮影装置は、写真を撮影する。当該撮影装置は、デジタルカメラ、一眼カメラなどのカメラ、或いは、カメラが搭載される携帯電話、タブレットＰＣなどのデバイスであってもよく、本実施の形態は、これを限定しない。
【００３１】
本実施の形態において、写真のクオリティを保証するために、当該撮影装置がシャッター押しの操作を取得すると、写真を撮影するだけでなく、さらに、当該撮影装置において手ぶれ現象が存在するか否かを判定し、当該撮影装置において手ぶれ現象が存在すると、撮影した写真のクオリティが低く、以降に当該撮影装置がハイクオリティの写真を撮影できるように、当該撮影装置に対して最適化を行う必要がある。
【００３２】
当該ステップ２０１は、以下のステップ２０１ａ〜２０１ｃの中の少なくとも１つのステップを含む。
ステップ２０１ａにおいて、当該シャッター押しの操作を取得すると、搭載されたセンサーにより当該撮影装置のぶれ幅を取得し、当該ぶれ幅が所定の振幅より大きいか否かを判定し、当該ぶれ幅が所定の振幅より大きいと、手ぶれ現象が存在すると判定する。
【００３３】
当該撮影装置には、重力センサーなどの、当該撮影装置のぶれ幅を取得するためのセンサーが搭載される。当該センサーは、当該撮影装置が例えば垂直方向におけるぶれ幅や、水平方向におけるぶれ幅など、各方向におけるぶれ幅をリアルタイムで取得する。撮影装置は、当該撮影装置の垂直方向におけるぶれ幅をそのまま当該撮影装置のぶれ幅としてもよく、或いは、当該撮影装置の各方向におけるぶれ幅の和を当該撮影装置のぶれ幅としてもよく、本実施の形態は、これを限定しない。
【００３４】
当該撮影装置が当該シャッター押しの操作を取得すると、当該センサーにより取得されたぶれ幅を確認し、当該ぶれ幅が所定の振幅より大きいか否かを判定し、当該ぶれ幅が所定の振幅より大きいと、当該撮影装置において手ぶれ現象が存在すると判定し、一方、当該ぶれ幅が当該所定の振幅以下であると、当該撮影装置において手ぶれ現象が存在しないと判定する。
当該撮影装置は、予め所定の振幅を決定し、当該撮影装置のぶれ幅が当該所定の振幅より大きいと、当該撮影装置に手ぶれ現象が存在すると見なし、当該ぶれ幅が当該所定の振幅より小さいと、当該撮影装置において手ぶれ現象が存在しないと見なす。ここで、所定の振幅は、写真のクオリティに対する要求に応じて決められ、本実施の形態は、これを限定しない。
【００３５】
ステップ２０１ｂにおいて、当該シャッター押しの操作を取得すると、現在当該撮影装置のシャッタースピード及び焦点距離を取得し、当該シャッタースピードが当該焦点距離の逆数より大きいか否かを判定し、当該シャッタースピードが当該焦点距離の逆数より大きいと、手ぶれ現象が存在すると判定する。
【００３６】
当該撮影装置のシャッタースピードが大きすぎると、シャッタースピードが遅くなり、当該撮影装置の手ぶれ現象が写真にそのまま反映されて、撮影した写真の画面がぼやけてしまう。当該撮影装置のシャッタースピードが確実なシャッタースピードより小さい場合にのみ、撮影した写真のクオリティを保証することができる。また、レンズの焦点距離のが長いほど、写真の画面がぼやけやすくなる。このとき、シャッタースピードを減少させてこそ、写真の画面の鮮明さを保証できるため、当該確実なシャッタースピードを当該撮影装置の焦点距離の逆数より小さく設定する。例えば、焦点距離が５０ｍｍであると、写真の画面の鮮明さを保証するように、当該シャッタースピードを１／５０ｓより小さく設定すべきである。
【００３７】
以上のように、当該撮影装置が当該シャッター押しの操作を取得すると、現在の当該撮影装置のシャッタースピード及び焦点距離を取得し、当該シャッタースピードが当該焦点距離の逆数より大きいか否かを判定し、当該シャッタースピードが当該焦点距離の逆数より大きいと、当該撮影装置において手ぶれ現象が存在する可能性が大きいこととなり、当該撮影装置において手ぶれ現象が存在すると判定し、これにより、当該撮影装置に対して最適化を行い、当該シャッタースピードが当該焦点距離の逆数以下であると、当該撮影装置において手ぶれ現象が存在する可能性が小さいこととなり、当該撮影装置において手ぶれ現象が存在しないと判定する。
【００３８】
ステップ２０１ｃにおいて、当該シャッター押しの操作を取得すると、焦点領域の尖鋭度を取得し、当該尖鋭度が所定の尖鋭度より小さいか否かを判定し、当該尖鋭度が所定の尖鋭度より小さいと、手ぶれ現象が存在すると判定する。
写真の尖鋭度は、写真の鮮明さ及びエッジの鋭さを反映するものであり、尖鋭度が高いほど、写真の画面がよりはっきりする一方で、尖鋭度が低いほど、写真の画面がよりぼんやりする。そのため、当該撮影装置が当該シャッター押しの操作を取得すると、焦点領域の尖鋭度を取得し、当該尖鋭度が所定の尖鋭度より小さいか否かを判定し、当該尖鋭度が所定の尖鋭度より小さいと、写真の焦点領域がぼけているか、または二重像（double images）が発生したと判定し、当該撮影装置において手ぶれ現象が存在すると判定し、当該ぶれ幅が当該所定の振幅以下であると、写真の画面が鮮明であると判定し、当該撮影装置において手ぶれ現象が存在しないと判定する。なお、当該撮影装置は、予め写真の画面の鮮明さに対する要求に応じて、当該所定の尖鋭度を決定してもよく、本実施の形態は、これを限定しない。
【００３９】
上記ステップ２０１ａ〜２０１ｃは、当該撮影装置において手ぶれ現象が存在するか否かを判定するための３つの条件を挙げたことに注意すべきである。当該撮影装置は、上記３つの条件の中のいずれか１つを満たす場合、当該手ぶれ現象が存在すると判定するようにしてもよく、或いは、上記３つの条件の中の任意の２つを同時に満たす場合、手ぶれ現象が存在すると判定するようにしてもよく、或いは、上記３つの条件を同時に満たす場合にのみ、手ぶれ現象が存在すると判定するようにしてもよい。本実施の形態は、これを限定しない。もちろん、当該撮影装置は、当該撮影装置において手ぶれ現象が存在するか否かを判定するための条件であれば、ほかの条件を採用してもよく、本実施の形態は、これを限定しない。
【００４０】
ステップ２０２において、当該撮影装置において手ぶれ現象が存在すると、最適化通知メッセージを表示する。
当該撮影装置手ぶれ現象が存在すると判定するステップと、まず、最適化通知メッセージを表示し、ユーザに当該撮影装置に対して最適化するか否かを通知し、例えば、「カメラ写真を撮影するときに手ぶれ現象が生じ、カメラに対して最適化を行いますか」のような通知メッセージを表示する。当該撮影装置は、当該最適化通知メッセージについて確認（はい）選択肢及び無視（いいえ）選択肢を提供し、ユーザが当該撮影装置に対して最適化を行いたい場合、当該確認選択肢をクリックすることで、当該撮影装置は、当該最適化通知メッセージに対する確認操作を検出し、最適化を始める。ユーザが当該撮影装置に対して最適化を行おうとしない場合、当該無視選択肢をクリックすることで、当該撮影装置は、当該最適化通知メッセージに対する無視操作を検出し、何の最適化操作も実行しない。
【００４１】
当該撮影装置は、ステップ２０２を実行せず、当該撮影装置に対して直接に最適化を行ってもよく、当該撮影装置が当該ステップ２０２を実行するか否かは、当該撮影装置のデフォルト設定、或いはユーザが使用中において設定することにより決められることに注意すべきである。本実施の形態は、これを限定しない。
【００４２】
ステップ２０３において、当該撮影装置が当該最適化通知メッセージに対する確認操作を検出すると、自動手ぶれ補正機能が既にオンになったか否かを判定し、ＹＥＳの場合、ステップ２０５を実行し、ＮＯの場合、ステップ２０４を実行する。
当該撮影装置が当該最適化通知メッセージに対する確認操作を検出すると、当該撮影装置に対して最適化を行う。最適化のプロセスにおいて、当該撮影装置は、現在の処理モードに基づいて、目標構成パラメーターを決定し、さらに当該目標構成パラメーターを調整することにより、写真の鮮明さを保証し、写真のクオリティを向上させる。
【００４３】
当該撮影装置に自動手ぶれ補正機能が搭載されたとすると、現在の当該撮影装置の処理モードは、自動手ぶれ補正機能がオンされ、自動手ぶれ補正機能がオンされていないモードを含む。当該自動手ぶれ補正機能が手ぶれ現象を回避できるので、写真のクオリティを高めるため、当該撮影装置に対して最適化を行う場合、まず、自動手ぶれ補正機能がオンになっているか否かを判定し、自動手ぶれ補正機能がオンされていない場合には、当該撮影装置は、当該目標構成パラメーターを当該自動手ぶれ補正機能に決定し、当該自動手ぶれ補正機能をオンする。
【００４４】
当該撮影装置は、様々な処理モードで撮影を行い、各種の処理モードに少なくとも１つの設定パラメーターが該当し、現在の処理モードに基づいて、調整すべき目標構成パラメーターを決定し、当該目標構成パラメーターを調整することができることに注意すべきである。
【００４５】
ステップ２０４において、当該撮影装置は、当該目標構成パラメーターを当該自動手ぶれ補正機能に決定することにより、当該自動手ぶれ補正機能をオンする。
ステップ２０５において、当該撮影装置は、当該目標構成パラメーターをシャッタースピード、ＩＳＯ感度及び絞り値にすることにより、シャッタースピードを所定のシャッタースピードまで速くし、ＩＳＯ感度を所定のＩＳＯ感度まで高め、絞り値を所定の絞り値まで減少させる。
当該自動手ぶれ補正機能がオンになったとすると、当該撮影装置は、さらに、当該目標構成パラメーターがシャッタースピード、ＩＳＯ感度及び絞り値の中の少なくとも１つであると決定し、引き続き最適化を行うことができる。
【００４６】
当業者は、明るさが同等である場合に、ＩＳＯ感度が固定であると、絞り値とシャッタースピードとの間に、絞り値が小さければ小さいほど、絞りが大きくなり、シャッタースピードが速くなり、即ちシャッタースピード（その値）が小さくなり、逆に、絞り値が大きければ大きいほど、絞りが小さくなり、シャッタースピードが遅くなり、即ちシャッタースピード（その値）が大きくなる関係があることがわかる。絞り値が固定であると、ＩＳＯ感度とシャッタースピードとの間に、ＩＳＯ感度が高ければ高いほど、シャッタースピードが速くなり、即ちシャッタースピード（その値）が小さくなり、逆に、ＩＳＯ感度が低ければ低いほど、シャッタースピードが遅くなり、即ちシャッタースピード（その値）が大きくなる関係がある。また、ＩＳＯ感度を高める場合には、撮影の写真においてノイズが生じる可能性があり、このようなノイズを減少させるために、絞り値を適切に減少させて、絞りを大きくする。
【００４７】
当該撮影装置は、シャッタースピードを所定のシャッタースピードまで直接的に速く（小さく）してもよく、ＩＳＯ感度を所定のＩＳＯ感度まで高め、絞り値を所定の絞り値まで減少させてもよい。当該所定のＩＳＯ感度及び当該所定の絞り値は、当該撮影装置により予め決定され、例えば、所定のＩＳＯ感度が３２００または６４００であり、本実施の形態は、これを限定しない。
【００４８】
本実施の形態において、当該撮影装置が当該目標構成パラメーターをシャッタースピード、ＩＳＯ感度及び絞り値に決定することを例として説明したが、実際に、当該撮影装置は、当該目標構成パラメーターをシャッタースピードのみに決定してもよく、この場合、シャッタースピードを所定のシャッタースピードまで速く（小さく）する。または、当該撮影装置は、当該目標構成パラメーターをＩＳＯのみに決定してもよく、この場合、ＩＳＯ感度を所定のＩＳＯ感度まで高める。または、当該撮影装置は、当該目標構成パラメーターを絞り値のみに決定してもよく、この場合、絞り値を所定の絞り値まで減少させる。本実施の形態は、当該目標構成パラメーター及び当該目標構成パラメーターに対する調整方式を限定しない。
【００４９】
また、当該撮影装置がシャッタースピードを所定のシャッタースピードまで速くし、ＩＳＯ感度を所定のＩＳＯ感度まで高め、或いは、絞り値を所定の絞り値まで減少させることのみを例として説明したが、実際に、当該撮影装置は、シャッタースピードの調整幅、ＩＳＯ感度の調整幅及び絞り値の調整幅を予め決定することができ、最適化を行うたびに、シャッタースピードの調整幅に基づいて、シャッタースピードを速くし、ＩＳＯ感度の調整幅に基づいて、ＩＳＯ感度を高め、或いは絞り値の調整幅に基づいて、絞り値を減少させることができる。例えば、シャッタースピードの調整幅を１／１０００ｓ刻みにし、現在のシャッタースピードが１／２０００ｓであると、シャッタースピードを１／３０００ｓまで速く（小さく）する。
【００５０】
次に写真を撮影するとき、当該撮影装置にまだ手ぶれ現象が存在すると判定した場合、シャッタースピードの調整幅、当該ＩＳＯ感度の調整幅及び絞り値の調整幅に基づいて、引き続きシャッタースピード、ＩＳＯ感度及び絞り値に対して調整することができる。
当該撮影装置を最適化するときに、当該目標構成パラメーター、その調整方式及び当該目標構成パラメーターを調整することにより得られた効果を表示してもよく、これにより、ユーザは、どのように撮影装置を最適化するかを知り、また、当該目標構成パラメーターの効果及び機能を知ってもよい。
【００５１】
本実施の形態に係る撮影方法において、写真を撮影するときに、手ぶれ現象が存在するか否かを判定し、手ぶれ現象が存在すると、現在の処理モードに基づいて、目標構成パラメーターを決定し、そして、当該目標構成パラメーターを調整することにより、撮影装置のぶれに起因して写真の画面がぼやけることを防ぎ、写真のクオリティを高め、撮影装置の写真撮影の成功率を向上させる。
【００５２】
図３は、一実施の形態に係る撮影装置を例示的に示すブロック図である。図３を参照し、当該撮影装置は、
シャッター押しの操作を取得すると、手ぶれ現象が存在するか否かを判定するための判定モジュール３０１と、
手ぶれ現象が存在すると、現在の撮影装置の処理モードに基づいて、目標構成パラメーターを決定するためのパラメーター決定モジュール３０２と、
当該目標構成パラメーターを調整するためのパラメーター調整モジュール３０３とを含む。
【００５３】
本実施の形態に係る撮影装置において、写真を撮影するときに、手ぶれ現象が存在するか否かを判定し、手ぶれ現象が存在すると、現在の処理モードに基づいて、目標構成パラメーターを決定し、そして、当該目標構成パラメーターを調整するすることにより、撮影装置のぶれに起因して写真の画面がぼやけることを防ぎ、写真のクオリティを高め、撮影装置の写真撮影の成功率を向上させる。
【００５４】
当該パラメーター決定モジュール３０２は、自動手ぶれ補正機能がオンされていない場合には、当該目標構成パラメーターを当該自動手ぶれ補正機能に決定する。
それに伴い、当該パラメーター調整モジュール３０３は、当該自動手ぶれ補正機能をオンする。
【００５５】
当該パラメーター決定モジュール３０２は、自動手ぶれ補正機能がオンになった場合には、当該目標構成パラメーターがシャッタースピード、ＩＳＯ感度及び絞り値の中の少なくとも１つを含むように決定する。
それに伴い、当該パラメーター調整モジュール３０３は、シャッタースピードを所定のシャッタースピードまで速くし、さらに、ＩＳＯ感度を所定のＩＳＯ感度まで高め、絞り値を所定の絞り値まで減少させる。
【００５６】
当該パラメーター決定モジュール３０２は、
手ぶれ現象が存在すると、最適化を行うか否かを通知するための最適化通知メッセージを表示するための通知メッセージ表示ユニットと、
当該最適化通知メッセージに対する確認操作を検出すると、当該処理モードに基づいて、目標構成パラメーターを決定するための確認ユニットとを含む。
【００５７】
当該判定モジュール３０１は、
当該シャッター押しの操作を取得すると、搭載されたセンサーにより当該撮影装置のぶれ幅を取得するための第１取得ユニットと、
当該ぶれ幅が所定の振幅より大きいか否かを判定するための第１判定ユニットと、
当該ぶれ幅が所定の振幅より大きいと、手ぶれ現象が存在すると判定するための第1決定ユニットと、を含む。
【００５８】
当該判定モジュール３０１は、
当該シャッター押しの操作を取得すると、現在当該撮影装置のシャッタースピード及び焦点距離を取得するための第２取得ユニットと、
当該シャッタースピードが当該焦点距離の逆数より大きいか否かを判定するための第２判定ユニットと、
当該シャッタースピードが当該焦点距離の逆数より大きいと、手ぶれ現象が存在すると判定するための第２決定ユニットと、を含む。
【００５９】
当該判定モジュール３０１は、
当該シャッター押しの操作を取得すると、焦点領域の尖鋭度を取得するための第３取得ユニットと、
当該尖鋭度が所定の尖鋭度より小さいか否かを判定するための第３判定ユニットと、
当該尖鋭度が所定の尖鋭度より小さいと、手ぶれ現象が存在すると判定するための第３決定ユニットと、を含む。
【００６０】
上記すべての選択可能な技術方案を任意に組み合わせることで本発明の選択可能な実施の形態を構成することができ、ここでは、説明を省略する。
上記実施の形態における撮影装置において、各モジュールが実行する動作の詳細は、既に該当する撮影方法の実施の形態において詳細に説明されたため、ここで、更に説明しない。
【００６１】
上記実施の形態に係る撮影装置により写真を撮影するときに、撮影装置は例としての上記各機能モジュールの区分を用いて説明されたことに注意すべきである。実際には、実施する際の必要に応じて、上記機能を異なる機能モジュールに割り当てても良い。特に、撮影装置の内部構造は異なる機能モジュールに分割されて、上記すべて或いは一部の機能を実現する。また、上記実施の形態に係る撮影装置は、本開示の実施の形態に係る撮影方法と同一の発明思想に基づくもので、具体的な実現プロセスは撮影方法の実施の形態に詳述されており、ここでは説明を省略する。
【００６２】
図４は、一実施の形態に係る撮影するための装置４００を例示的に示すブロック図である。例えば、装置４００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
図４を参照すると、装置４００は、プロセスコンポーネント４０２、メモリ４０４、電源コンポーネント４０６、マルチメディアコンポーネント４０８、オーディオコンポーネント４１０、入出力（Ｉ／Ｏ）インターフェイス４１２、センサコンポーネント４１４及び通信コンポーネント４１６のような一つ以上のコンポーネントを含んでよい。
【００６３】
プロセスコンポーネント４０２は、一般的には装置４００の全体の動作を制御するものであり、例えば、表示、電話呼び出し、データ通信、カメラ操作、及び記録操作と関連する動作を制御する。プロセスコンポーネント４０２は、一つ以上のプロセッサ４２０を含み、これらによって命令を実行することにより、上記の方法の全部、或は一部のステップを実現するようにしてもよい。なお、プロセスコンポーネント４０２は、一つ以上のモジュールを含み、これらによってプロセスコンポーネント４０２と他のコンポーネントの間のインタラクションを容易にするようにしてもよい。例えば、プロセスコンポーネント４０２は、マルチメディアモジュールを含み、これらによってマルチメディアコンポーネント４０８とプロセスコンポーネント４０２の間のインタラクションを容易にするようにしてもよい。
【００６４】
メモリ４０４は、各種類のデータを記憶することにより装置４００の操作を支援するように構成される。これらのデータの例は、装置４００において動作するいずれかのアプリケーションプログラム又は方法の命令、連絡対象データ、電話帳データ、メッセージ、画像、ビデオ等を含む。メモリ４０４は、いずれかの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００６５】
電源コンポーネント４０６は、装置４００の多様なコンポーネントに電力を供給する。電源コンポーネント４０６は、電源管理システム、一つ以上の電源、及び装置４００のための電力の生成、管理及び割り当てに関連する他のコンポーネントを含んでもよい。
【００６６】
マルチメディアコンポーネント４０８は、前記装置４００とユーザの間に一つの出力インターフェイスを提供するスクリーンを含む。上記の実施の形態において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施の形態において、マルチメディアコンポーネント４０８は、一つのフロントカメラ、及び／又はリアカメラを含む。装置４００が、例えば撮影モード、或はビデオモード等の動作モードにある場合、フロントカメラ、及び／又はリアカメラは外部からマルチメディアデータを受信できる。フロントカメラ及びリアカメラは、固定光学レンズシステムであっても、或は、合焦及び光学ズーム機能を有するものであってもよい。
【００６７】
オーディオコンポーネント４１０は、オーディオ信号を入出力するように構成されてもよい。例えば、オーディオコンポーネント４１０は、一つのマイク（ＭＩＣ）を含み、装置４００が、例えば呼出しモード、記録モード、及び音声認識モード等の動作モードにある場合、マイクは外部のオーディオ信号を受信することができる。受信されたオーディオ信号は、さらにメモリ４０４に記憶されたり、通信コンポーネント４１６を介して送信されたりされる。上記の実施の形態において、オーディオコンポーネント４１０は、オーディオ信号を出力するための一つのスピーカーをさらに含む。
【００６８】
Ｉ／Ｏインターフェイス４１２は、プロセスコンポーネント４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００６９】
センサコンポーネント４１４は、装置４００に各態様の状態に対する評価を提供するための一つ以上のセンサを含む。例えば、センサコンポーネント４１４は、装置４００のＯＮ／ＯＦＦ状態、装置４００のディスプレイとキーパッドのようなコンポーネントの相対的な位置を検出できる。また、例えば、センサコンポーネント４１４は、装置４００、或は装置４００の一つのコンポーネントの位置変更、ユーザと装置４００とが接触しているか否か、装置４００の方位、又は加速／減速、装置４００の温度の変化を検出できる。センサコンポーネント４１４は、物理的接触がない状態で付近の物体の存在を検出するための近接センサを含んでもよい。センサコンポーネント４１４は、撮影アプリケーションに適用するため、ＣＭＯＳ、又はＣＣＤ画像センサのような光センサを含んでもよい。上記の実施の形態において、当該センサコンポーネント４１４は、加速度センサ、ジャイロスコープセンサ、磁気センサ、圧力センサ、及び温度センサを含んでもよい。
【００７０】
通信コンポーネント４１６は、装置４００と他の機器の間に有線、又は無線形態の通信を提供する。装置４００は、例えばＷｉＦｉ（登録商標）、２Ｇ、３Ｇ、或はこれらの組み合わせのような、通信規格に基づいた無線ネットワークに接続されてもよい。一つの例示的な実施の形態において、通信コンポーネント４１６は、放送チャンネルを介して外部の放送管理システムからの放送信号、又は放送に関連する情報を受信する。一つの例示的な実施の形態において、前記通信コンポーネント４１６は、近距離無線通信（ＮＦＣ）モジュールをさらに含むことにより、近距離通信を促進する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００７１】
例示的な実施の形態において、装置４００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００７２】
例示的な実施の形態において、さらに、命令を含む非一時的なコンピュータで読み取り可能な記憶媒体、例えば命令を含むメモリ４０４を提供しており、装置４００のプロセッサ４２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー（登録商標）ディスク、光データ記憶デバイス等である。
【００７３】
非一時的なコンピュータで読み取り可能な記憶媒体は、当該記録媒体中の指令が撮影装置のプロセッサによって実行される際に、撮影装置に撮影方法を実行させ、当該撮影方法は、
シャッター押しの操作を取得すると、手ぶれ現象が存在するか否かを判定するステップと、
手ぶれ現象が存在すると、現在の撮影装置の処理モードに基づいて、目標構成パラメーターを決定するステップと、
当該目標構成パラメーターを調整するステップと、を含む。
【００７４】
当該現在の撮影装置の処理モードに基づいて、目標構成パラメーターを決定するステップは、
自動手ぶれ補正機能がオンされていない場合には、当該目標構成パラメーターを当該自動手ぶれ補正機能に決定するステップを含む。
それに伴い、当該目標構成パラメーターを調整するステップは、
当該自動手ぶれ補正機能をオンするステップを含む。
【００７５】
当該現在の撮影装置の処理モードに基づいて、目標構成パラメーターを決定するステップは、
自動手ぶれ補正機能がオンになった場合には、当該目標構成パラメーターがシャッタースピード、ＩＳＯ感度及び絞り値の中の少なくとも１つを含むように決定するステップを含む。
それに伴い、当該当該目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップの中の少なくとも１つのステップを含む。
【００７６】
当該手ぶれ現象が存在すると、現在の撮影装置の処理モードに基づいて、目標構成パラメーターを決定するステップは、
手ぶれ現象が存在すると、最適化を行うか否かを通知するための最適化通知メッセージを表示するステップと、
当該最適化通知メッセージに対する確認操作を検出すると、当該処理モードに基づいて、目標構成パラメーターを決定するステップとを含む。
【００７７】
当該シャッター押しの操作を取得すると、手ぶれ現象が存在するか否かを判定するステップは、
当該シャッター押しの操作を取得すると、搭載されたセンサーにより当該撮影装置のぶれ幅を取得するステップと、
当該ぶれ幅が所定の振幅より大きいか否かを判定するステップと、
当該ぶれ幅が所定の振幅より大きいと、手ぶれ現象が存在すると判定するステップと、を含む。
【００７８】
当該シャッター押しの操作を取得すると、手ぶれ現象が存在するか否かを判定するステップは、
当該シャッター押しの操作を取得すると、現在当該撮影装置のシャッタースピード及び焦点距離を取得するステップと、
当該シャッタースピードが当該焦点距離の逆数より大きいか否かを判定するステップと、
当該シャッタースピードが当該焦点距離の逆数より大きいと、手ぶれ現象が存在すると判定するステップと、を含む。
【００７９】
当該シャッター押しの操作を取得すると、手ぶれ現象が存在するか否かを判定するステップは、
当該シャッター押しの操作を取得すると、焦点領域の尖鋭度を取得するステップと、
当該尖鋭度が所定の尖鋭度より小さいか否かを判定するステップと、
当該尖鋭度が所定の尖鋭度より小さいと、手ぶれ現象が存在すると判定するステップと、を含む。
【００８０】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施の形態は、例示的なものを開示しており、本発明の保護範囲と主旨は、特許請求の範囲に記述される。
【００８１】
本発明は、上記において開示された構成又は図面に示した構造に限定されるものではなく、本発明の範囲内であれば、様々な補正又は変更を行うことができる。本発明の範囲は、特許請求の範囲により制限される。
本願は、出願番号がＣＮ２０１４１０４２９７４０．７であって、出願日が２０１４年８月２８日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
撮影装置のシャッター押しの操作を取得すると、手ぶれ現象が存在するか否かを判定するステップと、
手ぶれ現象が存在すると、現在の撮影装置の処理モードに基づいて、目標構成パラメーターを決定するステップと、
前記目標構成パラメーターを調整するステップと
を含むことを特徴とする撮影方法。
【請求項２】
前記現在の撮影装置の処理モードに基づいて、目標構成パラメーターを決定するステップは、
自動手ぶれ補正機能がオンされていない場合には、前記目標構成パラメーターを前記自動手ぶれ補正機能に決定するステップを含み、
それに伴い、前記目標構成パラメーターを調整するステップは、
前記自動手ぶれ補正機能をオンするステップを含む
ことを特徴とする請求項１に記載の撮影方法。
【請求項３】
前記現在の撮影装置の処理モードに基づいて、目標構成パラメーターを決定するステップは、
自動手ぶれ補正機能がオンになった場合に、前記目標構成パラメーターがシャッタースピード、ＩＳＯ感度及び絞り値の中の少なくとも１つを含むように決定するステップを含み、
それに伴い、前記目標構成パラメーターを調整するステップは、
シャッタースピードを所定のシャッタースピードまで速くするステップ、
ＩＳＯ感度を所定のＩＳＯ感度まで高めるステップ、及び、
絞り値を所定の絞り値まで減少させるステップ
の中の少なくとも１つのステップを含むことを特徴とする請求項１に記載の撮影方法。
【請求項４】
前記手ぶれ現象が存在すると、現在の撮影装置の処理モードに基づいて、目標構成パラメーターを決定するステップは、
手ぶれ現象が存在すると、最適化を行うか否かを通知するための最適化通知メッセージを表示するステップと、
当該最適化通知メッセージに対する確認操作を検出すると、当該処理モードに基づいて、目標構成パラメーターを決定するステップと
を含むことを特徴とする請求項１に記載の撮影方法。
【請求項５】
前記シャッター押しの操作を取得すると、手ぶれ現象が存在するか否かを判定するステップは、
前記シャッター押しの操作を取得すると、搭載されたセンサーにより前記撮影装置のぶれ幅を取得するステップと、
前記ぶれ幅が所定の振幅より大きいか否かを判定するステップと、
前記ぶれ幅が所定の振幅より大きいと、手ぶれ現象が存在すると判定するステップと
を含むことを特徴とする請求項１に記載の撮影方法。
【請求項６】
前記シャッター押しの操作を取得すると、手ぶれ現象が存在するか否かを判定するステップは、
前記シャッター押しの操作を取得すると、前記現在の撮影装置のシャッタースピード及び焦点距離を取得するステップと、
前記シャッタースピードが前記焦点距離の逆数より大きいか否かを判定するステップと、
前記シャッタースピードが前記焦点距離の逆数より大きいと、手ぶれ現象が存在すると判定するステップと
を含むことを特徴とする請求項１に記載の撮影方法。
【請求項７】
前記シャッター押しの操作を取得すると、手ぶれ現象が存在するか否かを判定するステップは、
前記シャッター押しの操作を取得すると、焦点領域の尖鋭度を取得するステップと、
前記尖鋭度が所定の尖鋭度より小さいか否かを判定するステップと、
前記尖鋭度が所定の尖鋭度より小さいと、手ぶれ現象が存在すると判定するステップと
を含むことを特徴とする請求項１に記載の撮影方法。
【請求項８】
撮影装置のシャッター押しの操作を取得すると、手ぶれ現象が存在するか否かを判定するための判定モジュールと、
手ぶれ現象が存在すると、現在の撮影装置の処理モードに基づいて、目標構成パラメーターを決定するためのパラメーター決定モジュールと、
前記目標構成パラメーターを調整するためのパラメーター調整モジュールと
を含むことを特徴とする撮影装置。
【請求項９】
前記パラメーター決定モジュールは、自動手ぶれ補正機能がオンされていない場合には、前記目標構成パラメーターを前記自動手ぶれ補正機能に決定し、
それに伴い、前記パラメーター調整モジュールは、前記自動手ぶれ補正機能をオンする
ことを特徴とする請求項８に記載の撮影装置。
【請求項１０】
前記パラメーター決定モジュールは、自動手ぶれ補正機能がオンになった場合には、前記目標構成パラメーターがシャッタースピード、ＩＳＯ感度及び絞り値の中の少なくとも１つを含むように決定し、
それに伴い、前記パラメーター調整モジュールは、シャッタースピードを所定のシャッタースピードまで速くし、
前記パラメーター調整モジュールは、さらに、ＩＳＯ感度を所定のＩＳＯ感度まで高め、
前記パラメーター調整モジュールは、さらに、絞り値を所定の絞り値まで減少させる
ことを特徴とする請求項８に記載の撮影装置。
【請求項１１】
前記パラメーター決定モジュールは、
手ぶれ現象が存在すると、最適化を行うか否かを通知する最適化通知メッセージを表示するための通知メッセージ表示ユニットと、
前記最適化通知メッセージに対する確認操作を検出すると、前記処理モードに基づいて、目標構成パラメーターを決定するための確認ユニットと
を含むことを特徴とする請求項８に記載の撮影装置。
【請求項１２】
前記判定モジュールは、
前記シャッター押しの操作を取得すると、搭載されたセンサーにより前記撮影装置のぶれ幅を取得するための第１取得ユニットと、
前記ぶれ幅が所定の振幅より大きいか否かを判定するための第１判定ユニットと、
前記ぶれ幅が所定の振幅より大きいと、手ぶれ現象が存在すると判定するための第１決定ユニットと
を含むことを特徴とする請求項８に記載の撮影装置。
【請求項１３】
前記判定モジュールは、
前記シャッター押しの操作を取得すると、前記現在の撮影装置のシャッタースピード及び焦点距離を取得するための第２取得ユニットと、
前記シャッタースピードが前記焦点距離の逆数より大きいか否かを判定するための第２判定ユニットと、
前記シャッタースピードが前記焦点距離の逆数より大きいと、手ぶれ現象が存在すると判定するための第２決定ユニットと
を含むことを特徴とする請求項８に記載の撮影装置。
【請求項１４】
前記判定モジュールは、
前記シャッター押しの操作を取得すると、焦点領域の尖鋭度を取得するための第３取得ユニットと、
前記尖鋭度が所定の尖鋭度より小さいか否かを判定するための第３判定ユニットと、
前記尖鋭度が所定の尖鋭度より小さいと、手ぶれ現象が存在すると判定するための第３決定ユニットと
を含むことを特徴とする請求項８に記載の撮影装置。
【請求項１５】
プロセッサと、
プロセッサにより実行される指令を記憶するためのメモリと、を含み、
前記プロセッサは、
撮影装置のシャッター押しの操作を取得すると、手ぶれ現象が存在するか否かを判定し、
手ぶれ現象が存在すると、現在の撮影装置の処理モードに基づいて、目標構成パラメーターを決定し、
前記目標構成パラメーターを調整する
ことを特徴とする撮影装置。
【請求項１６】
プロセッサに実行されることにより、請求項１〜７のいずれか１項に記載の撮影方法を実現することを特徴とするプログラム。
【請求項１７】
請求項１６に記載のプログラムが記録された記録媒体。
【国際調査報告】
2016533691.tif 000007
2016533691.tif 000008
2016533691.tif 000009
2016533691.tif 000010